(57)【要約】【課題】施工が簡単で、ガラス板を載置する高さの調節が可能であり、しかも確実にガラス板を支持し得るようにすること。【解決手段】下部に台座２を備え、かつ上部に受台３を昇降調節自在に螺合したボルト部材４ａと、ガラス板１、１…の目地及びその中間ラインに沿って格子状に配して、その上面両側で緩衝材１２を介して目地両側のガラス板１、１の辺部を支持し、かつその交点で受台３によって支持される支持フレーム５、５…と、目地中で両側のガラス板１、１の下支分ガラス板１ｂの辺部を係止する一方で、支持フレーム５の係止溝５ａにその下部を固定したガラス係止片６、６と、その間に挿入して各ガラス係止片６、６による下支分ガラス板１ｂの係止及びその係止溝５ａへの係止状態を固定する挿入固定片７と、目地に充填する目地材８とで構成した。【選択図】  図１
2004316355.tif 000002
【特許請求の範囲】
【請求項１】
合わせガラスに構成した複数のガラス板を敷設してなるガラス床を支持するガラス床用の支持構造であって、
縦横に敷設するガラス板間の格子状の目地の少なくとも交点に対応させて配する高さ調節機能を備えた支柱部材と、
縦横に敷設するガラス板の少なくとも目地に沿って格子状に配する支持フレームであって、その上面両側で緩衝材を介して該目地両側のガラス板の辺部を支持するとともに、その少なくとも交点で前記支柱部材によって支持される支持フレームと、
縦横に敷設するガラス板の目地中に挿入してその両側のガラス板の下支分ガラス板の辺部を各々支持する一対のガラス係止片であって、前記支持フレームの上部の係止溝にその下部を挿入して係止するガラス係止片と、
該一対のガラス係止片間に挿入して、該各ガラス係止片による下支分ガラス板の支持状態及び該両ガラス係止片の前記支持フレームの係止溝に対する係止状態を固定する挿入固定片と、
縦横に敷設するガラス板の目地中の上支分ガラス板間に挿入する目地材と、
で構成したガラス床用の支持構造。
【請求項２】
前記支柱部材を、床下地上に固設する台座と、該台座に立設したボルト部材と、該ボルト部材に高さ調節自在に螺合した受台であって、上部に前記支持フレームをその交点で支持する十字溝を備えた受台とで構成した請求項１のガラス床用の支持構造。
【請求項３】
床下地上に固設する小台座と、該小台座に立設した長ナット部材と、該長ナット部材に高さ調節自在に螺合した受けボルト部材であって、その上部で前記支持フレームの下部を支持するように構成した受けボルト部材とで補助支柱部材を構成し、前記支持フレームをその交点以外の位置で支持すべく、該補助支柱部材を追加した請求項１のガラス床用の支持構造。
【請求項４】
前記ガラス係止片を、アルミニウム合金で構成し、その下支分ガラス板の辺部に接触する部位又は又は該下支分ガラス板の該ガラス係止片に接触する部位に保護皮膜を施した請求項１、２又は３のガラス床用の支持構造。
【請求項５】
前記ガラス係止片を、上部に前記下支分ガラス板の辺部の上縁に形成した面取部に係止してこれを支持する係止斜面を備え、かつ下部に前記支持フレームの係止溝の底部に形成した底横溝に係止する横向き鍔片を備えたものに構成した請求項１、２、３又は４のガラス床用の支持構造。
【請求項６】
前記支持フレーム及び前記受台をアルミニウム合金で構成した請求項１、２、３、４又は５のガラス床用の支持構造。
【請求項７】
前記挿入固定片を硬質弾性部材で構成した請求項１、２、３、４、５又は６のガラス床用の支持構造。
【発明の詳細な説明】
【０００１】
【発明の属する技術分野】
本発明はガラス床用の支持構造に関するものである。詳述すれば、本発明は、種々の建造物に於いて、複数のガラス板を縦横に敷設して構成するガラス床を支持するためのガラス床用の支持構造に関するものである。
【０００２】
【従来の技術】
ガラス床は現時点ではあまり普及しているとは云えない。これは、標準化された作業により、簡単かつ低廉に施工でき、かつ仕上がり美しいガラス床用の支持構造が提案されていなかったためである。若干行われている施工事例は、その場の建設条件に合わせて個別に設計され、既存の種々の汎用の建設材料を加工して行われたものであり、高価で施工性も悪く、仕上がりも必ずしもスマートなものとは云えないものであった。
【０００３】
このようなガラス床の施工例の一つにＨ型鋼を使用したガラス床の支持構造の例があるが、その概要は次のようなものである。
【０００４】
これは、縦横に敷設される床用のガラス板の辺部を目地に沿ってその下方に配したＨ型鋼の上面で支持した例である。このような床用のガラス板は床エリアに縦横に配され、隣接するガラス板間の目地は全体として見ると格子状になる。前記Ｈ型鋼は、Ｈの文字を横に倒した状態で、該ガラス板の敷設計画に従ってその格子状の目地となる位置の下方に該目地に沿って予め配置し、その上面には合成ゴム等による緩衝板を配置して置く。その後に、ガラス板をその敷設計画に沿って敷設する。このとき、各ガラス板は、それぞれその辺部が、前記緩衝板を介して前記Ｈ型鋼の上面片側上に載った状態で支持される。
【０００５】
なお前記Ｈ型鋼は床下地上にボルト等によって固定される。また隣接するガラス板の辺部間、即ち、目地には目地材を充填する。
【０００６】
これは、先に述べたように、一つのガラス床の施工事例であるが、この例の場合は、Ｈ型鋼のような重量物を扱うので、軽作業とは云えず、また予め必要な寸法等に切断その他の加工を施して現場に運び込む必要があり、コストが嵩み、全体としてなかなか厄介な作業であると言わざるを得ない。その結果、ガラス床全体のコストが嵩みがちである。
【０００７】
更にガラス床として透明なガラス板を用いる場合には、緩衝材やＨ型鋼が透けて見えることとなり、意匠性や装飾性の点でも優れたものとは言い難い。加えてこのようなＨ型鋼による床構造では不陸の調整ができないため、床下地に多少の凹凸がある場合等にはその調整が厄介である。その他、施工した後にはガラス板の取り替えが困難であり、またガラス板は、前記のように、Ｈ型鋼の上面上に緩衝材を介して載置されているだけであるため、地震その他に起因してＨ型鋼から浮いてしまうような虞もなきにしもあらずである。
【０００８】
特にＨ型鋼を用いた一例について述べたが、既に述べたように、若干行われている施工事例は、いずれもその場の建設条件に合わせて個別に設計され、既存の種々の汎用の建設材料を加工して行われるものであるため、以上のＨ型鋼を用いた例と大同小異であって、いずれにしても施工性が悪く、仕上がりも必ずしもスマートなものではなく、それにも拘わらず、高価になっているのが実情である。
【０００９】
【発明が解決しようとする課題】
本発明は、以上のような従来技術のガラス床用の支持構造の問題点を解決し、施工が簡単であり、かつガラス板を設置する高さの調節が可能であり、しかも確実にガラス板を固定することができるガラス床用の支持構造を提供することを解決の課題とするものである。
【００１０】
【課題を解決するための手段】
本発明の１は、合わせガラスに構成した複数のガラス板を敷設してなるガラス床を支持するガラス床用の支持構造であって、
縦横に敷設するガラス板間の格子状の目地の少なくとも交点に対応させて配する高さ調節機能を備えた支柱部材と、
縦横に敷設するガラス板の少なくとも目地に沿って格子状に配する支持フレームであって、その上面両側で緩衝材を介して該目地両側のガラス板の辺部を支持するとともに、その少なくとも交点で前記支柱部材によって支持される支持フレームと、
縦横に敷設するガラス板の目地中に挿入してその両側のガラス板の下支分ガラス板の辺部を各々支持する一対のガラス係止片であって、前記支持フレームの上部の係止溝にその下部を挿入して係止するガラス係止片と、
該一対のガラス係止片間に挿入して、該各ガラス係止片による下支分ガラス板の支持状態及び該両ガラス係止片の前記支持フレームの係止溝に対する係止状態を固定する挿入固定片と、
縦横に敷設するガラス板の目地中の上支分ガラス板間に挿入する目地材と、
で構成したガラス床用の支持構造である。
【００１１】
前記ガラス床としては、前記したように、合わせガラスである正方形又は長方形のガラス板を敷設して構成したそれを想定している。合わせガラスは、二枚のガラス板を、例えば、接着性を備えた中間膜で貼り合わせて構成したものであり、その厚さや材質等は、床として要求される種々の条件、例えば、この上に配置される物品類の重量等を考慮して決定することができる。
【００１２】
このような合わせガラスを採用したのは、万一、上面側に位置する上支分ガラス板が破損を生じるようなことがあっても、これと中間膜を介して結合している下支分ガラス板に各破片が結合した状態を維持することにより、容易にこれらを飛散させず、かつ下支分ガラス板によってバックアップされ、床が抜けるような事態を避け得るようにするためである。
【００１３】
前記支柱部材は、前記したように、縦横に敷設するガラス板間の格子状の目地の交点に対応させて配し、また必要に応じて交点以外の位置にも配するものである。交点以外の位置としては隣接する二つの交点の中間点などである。前記したようにこの支柱部材は高さ調節機能を備えている必要がある。この高さ調節機能は、直接的にはこれによって支持する支持フレームの高さを所望のそれに調節するものであり、それが可能であれば、特定の構成に限定されない。
【００１４】
前記支持フレームは、その上部中央に長さ方向に沿って係止溝が形成された長尺の棒状部材であり、その上面両側で床用に敷設されるガラス板を支持し、また該係止溝で前記一対のガラス係止片を支持するように構成したものである。
【００１５】
前記支持フレームは、前記したように、縦横に敷設されるガラス板の少なくとも目地に沿って格子状に配し、上記したように、その上面両側で目地両側のガラス板の辺部を支持する。敷設されるガラス板が平面から見て長方形のものである場合には、必要に応じて、その長さ方向に直交する向きでその中間にも追加的に配することができる。この場合は該ガラス板の中間部を該支持フレームの上面全体で支持することとなる。いずれにしても、既述のように、ガラス板は、該支持フレームの上面に緩衝材を配し、これを介して該上面で支持することとする。
【００１６】
上記緩衝材は、以上のように、ガラス板と支持フレームとの間に装入されるものであるが、これは当然ながらガラス板に傷をつけて強度の低下を招かないためのものである。その目的を果たし得るものであれば、ゴム板や樹脂板等の種々の弾性部材を適宜用いることができる。長尺帯状のそれの下面に、例えば、嵌合突条を構成しておき、これを支持フレームの上面に形成してある嵌合溝に嵌合させることにより支持フレームの上面に配置しつつ固定することができる。なお、ガラス板が透明の場合は、この緩衝材も透過して見えることになるので、意匠性も考慮して材質、色及び形状等を決定すべきである。
【００１７】
また前記支持フレームは、前記したように、その上部に長さ方向に沿った係止溝を備えているが、これは、これにその下部が挿入される一対のガラス係止片を支持するためのものである。該係止溝は、以上の趣旨から、該一対の各ガラス係止片の下部の形状と対応したものに構成し、該係止溝に装入した該一対のガラス係止片の下部がそれらの間に挿入される前記挿入固定片の楔作用と相まって確実にこれに係止され、固定されるように構成されているものであれば、その構成は特定のそれに限定されない。
【００１８】
前記支持フレームは、先に述べたように、少なくともその交点に配置されている前記支柱部材によって支持される。それ故、当然、その下部の形状又は構造は、これを支持する支柱部材の上部の支持形状又は支持構造と対応するものに構成する。
【００１９】
前記ガラス係止片は、一対のそれを縦横に敷設するガラス板の目地中に挿入してそれらの上部で両側のガラス板の下支分ガラス板の辺部をそれぞれ係止し、他方、その下部を前記支持フレームの係止溝に挿入し、更に両ガラス係止片間に前記挿入固定片を挿入して該係止溝への挿入状態及び下支分ガラス板の係止状態を固定するようになっているものである。
【００２０】
前記ガラス係止片は、以上のように、その上部で下支分ガラス板の辺部を係止するものであるが、その構成は、云うまでもなく、下支分ガラス板の辺部の構成と対応させて決定するものとする。相互の構成は、該ガラス係止片がその上部で確実に下支分ガラスの辺部に係止できるものであれば、特定の構成に限定されない。
【００２１】
また前記ガラス係止片は、先に述べたように、前記支持フレームの係止溝に挿入した一対のそれの間に前記挿入固定片を挿入してその状態で該係止溝に固定するものであるが、そのような固定が可能であれば、これも特定の構成に限定されない。
【００２２】
前記挿入固定片は、以上のように、前記一対のガラス係止片間に挿入して、該各ガラス係止片による下支分ガラス板の係止及び該両ガラス係止片の前記支持フレームの係止溝に於ける係止状態を固定するための長尺の板状部材である。該挿入固定片は、それ故、これを該一対のガラス係止片の間に挿入すると、その楔作用によりそれらの間が拡張させられ、各ガラス係止片の上部が下支分ガラス板を確実に係止すべくそれらに対して圧接状態になり、かつ各ガラス係止片の下部が前記支持フレームの係止溝に確実に係止状態となるような適切な厚みに設定すべきである。
【００２３】
前記目地材は、縦横に敷設するガラス板の上支分ガラス板間の目地に、前記装入固定片が短く、前記両ガラス係止片の上部の間が空いているようであれば、その部位まで充填するものである。屋内のガラス床に用いる場合は、乾式のそれを充填することができるが、屋外でガラス床を施工する場合は水密性の観点から湿式のそれを充填するのが適当である。機能性の面に加えて意匠性を考慮して決定することができる。
【００２４】
従って、本発明の１のガラス床用支持構造によれば、ガラス床の施工が容易であり、見た目にもスマートがそれが構成し得、かつ施工後のガラス板の交換、ガラス裏面の清掃、必要に応じて行われる床面下に設置したガラス床の照明装置の補修等のメンテナンスを容易に行なうことができる。
【００２５】
このガラス床用の支持構造を採用したガラス床は概ね次の手順で施工することができる。
【００２６】
まず、対象の床領域に於いて、縦横に敷設するガラス板の配置を決め、その格子状の目地の少なくとも交点となる位置に支柱部材を立設配置する。次いで、該支柱部材に支持フレームを支持させ、少なくとも敷設するガラス板の目地に沿って格子状に支持フレームを配する。なお、支持フレームの高さの調節を行う必要があるが、これは支柱部材に於ける高さ調節機能の構成の仕方との関係で、該支柱部材で支持フレームを支持する前の時点で、又は支持した後の時点で行う。
【００２７】
以上のように格子状に配した支持フレームに、予め決定してある配置で床用のガラス板を配置する。支持フレームは、上記のように、ガラス板の目地予定位置に沿って配置されているため、予定通りに配置すると、ガラス板は、それぞれその各辺部が支持フレームの上面片側上に載置されることとなる。このとき予め支持フレームの該当部位には緩衝材を設置しておき、ガラス板との間に該緩衝材が介在されるようにして置く。
【００２８】
その後、以上のように敷設したガラス板の目地中に、各々背中合わせにした一対のガラス係止片を挿入する。該一対のガラス係止片はその下部を前記支持フレームの上部中央に開口している係止溝まで下降させて挿入する。この後、これらの各一対のガラス係止片の両背中間に前記挿入固定片を挿入してその間を拡開させ、これによって、該ガラス係止片の上部をガラス板の下支分ガラス板の辺部に係止させ、かつその下部を前記係止溝に係止固定させる。
【００２９】
最後に、ガラス板の上支分ガラス板間に残った目地、及び場合によってはガラス係止片の上部背中間に残った空間に目地材を充填する。この目地材は室内のガラス床の場合は合成ゴム等で成形した部材を乾式で充填し、屋外のガラス床の場合は、湿式で充填するのが適当である。このようにして本発明の１のガラス床用支持構造を適用したガラス床は、容易かつスピーディに施工可能であり、前記したように、見た目にもスマートなそれが得られ、かつ施工後のメンテナンスも容易なものとなる。
【００３０】
本発明の２は、本発明の１のガラス床用の支持構造に於いて、前記支柱部材を、床下地上に固設する台座と、該台座に立設したボルト部材と、該ボルト部材に高さ調節自在に螺合した受台であって、上部に前記支持フレームをその交点で支持する十字溝を備えた受台とで構成したものである。
【００３１】
前記台座は、床下地上に安定して配設し得、前記ボルト部材を安定した状態に立ち上げておくことができるものであれば、特定の構成に限定されない。例えば、平板状の金属板材等が採用可能である。この台座自体はコンクリートボルト等により床下地上に固定することができる。また前記ボルト部材はこの台座に溶接又はねじ込んだ上で溶接する等によって立設固定することができる。
【００３２】
前記受台は、前記のように、前記支持フレームを支持するための部材であり、そのためにその上部には平面から見て十字状となっている十字溝を構成し、その下部には、前記ボルト部材に螺合する雌ねじが形成してあるものである。この雌ねじは、該受台を合成樹脂類で構成する場合は、場合によっては、該当する部位に金属製のナット部材を埋め込み、該ナット部材の雌ねじを利用して構成することもできる。前記支柱部材の高さ調節機能は、この受台の下部の雌ねじとこれに螺合するボルト部材とによって実現しているものである。云うまでもなく、該受台を正逆回転させることにより該ボルト部材との螺合状態を調節してその高さを調節するものである。
【００３３】
該ボルト部材の該受台より下方に必要に応じて金属製のロックナットを螺合しておき、上記のようにして調節して決定した受台の高さを、該受台に対して締付圧接することにより固定することもできる。このように配したロックナットは、更に受台を補強する役割を果たし、その受けた荷重をこれで更に受けることになるものである。前記受台を合成樹脂で構成した場合であっても、その雌ねじを該当する部位にナット部材を埋め込んで構成した場合は、該受台を補強し、その受ける荷重を分担すると言う意味では、必要性が薄れる。
【００３４】
なお前記受台は、前記機能を保持する面で不都合がない限り、その形状は自由である。もっとも特別な理由がない限り、平面から見た形状は円形又は正方形が適当である。
【００３５】
従って本発明の２のガラス床用の支持構造によれば、前記支持フレームは、前記支柱部材を敷設予定のガラス板の格子状の目地の少なくとも交点に配し、その受台の高さを昇降調節した後に、該受台の上部の十字溝に該支持フレームを嵌め込んで支持させる。該支持フレームは、その交点では、例えば、該交点を通過する一方の支持フレームと、その両側に端部を突き合わせる他の二つの支持フレームとにより平面から見て十字状となる。或いは交差する二つの支持フレームを、一方は下から、他方は上から、各々半分ずつ切り欠いて切欠部を構成し、かつ双方の切欠部で相互を嵌め合わせることにより、平面から見て十字状となる。いずれの場合も、支持フレームは、その交点で、そのままの状態で、受台の十字溝に嵌め込んで支持させることができる。
【００３６】
本発明の３は、本発明の１のガラス床用の支持構造に於いて、床下地上に固設する小台座と、該小台座に立設した長ナット部材と、該長ナット部材に高さ調節自在に螺合した受けボルト部材であって、その上部で前記支持フレームの下部を支持するように構成した受けボルト部材とで補助支柱部材を構成し、前記支持フレームをその交点以外の位置で支持すべく、該補助支柱部材を追加したものである。
【００３７】
前記小台座は、前記台座と同様の役割を果たすものではあるが、その上部の構成が、支持フレームを交点以外の部分で支持するものであり、小型に構成し得るものとなる関係上、該台座より若干小形に構成することができる。
【００３８】
前記長ナット部材及びこれに螺合する前記受けボルト部材は、補助支柱部材の本体部分を構成すると共に、その高さ調整機能を実現するものでもある。それ故、各々はその高さ調整に必要なストロークを確保できる適切な長さに構成すべきものである。
【００３９】
また該受けボルト部材の上部は、該支持フレームを交点以外で支持すべきものであり、一条の支持フレームが支持対象である。その支持のための構成は自由であるが、意匠上の関係から、なるべく該支持フレームの両側に突出しない構成が望ましい。例えば、該受けボルト部材を、その上端に連結頭部を備えた構成とし、他方、該支持フレームの下部に長さ方向に沿った連結溝を形成しておき、前記連結頭部を、その連結溝中に、端部からスライド自在に装入して相互を連結する構成とすることができる。なお該連結溝には、その下部両側から鍔部を内側に若干突出させ、該受けボルト部材の抜け止めとする。
【００４０】
従って本発明の３のガラス床用の支持構造によれば、支持フレームをその交点以外の部分で良好に支持し得ると共に、ガラス板の直下に大型の部材を位置させない点で意匠上に優れた効果をもたらすことができる。
【００４１】
本発明の４は、請求項１、２又は３のガラス床用の支持構造に於いて、前記ガラス係止片を、アルミニウム合金で構成し、その下支分ガラス板の辺部に接触する部位又は又は該下支分ガラス板の該ガラス係止片に接触する部位に保護皮膜を施したものである。
【００４２】
前記保護皮膜としては、フィルム又はシート状部材等の弾力性を備えた樹脂その他の部材を用いることができる。この保護皮膜はガラス係止片の下支分ガラス板と接触する部位又は下支分ガラス板のガラス係止片に接触する部位のいずれかに貼り付ける又は吹き付け等によって取り付けることができる。
【００４３】
従って本発明の４のガラス床用の支持構造によれば、前記下支分ガラス板はアルミニウム合金製のガラス係止片によって確実に支持されながらも対面するいずれかの側に取り付けられた保護皮膜によって保護され、損傷の生じる虞のないものである。
【００４４】
本発明の５は、本発明の１、２、３又は４のガラス床用の支持構造に於いて、前記ガラス係止片を、上部に前記下支分ガラス板の辺部の上縁に形成した面取部に係止してこれを支持する係止斜面を備え、かつ下部に前記支持フレームの係止溝の底部に形成した底横溝に係止する横向き鍔片を備えたものに構成したものである。
【００４５】
前記係止斜面は、当然、その角度を下支分ガラス板の辺部上縁に形成した面取部の傾斜角度に合わせるべきものである。また前記係止溝の底横溝の奥行きは、ガラス係止片の横向き鍔片の張り出し長さ以上に構成し、かつその厚み以上の高さを持ったものとするのが適当である。
【００４６】
従って本発明の４のガラス床用の支持構造によれば、目地中に、背中合わせに挿入した一対のガラス係止片の間に前記挿入固定片を挿入すると、各ガラス係止片の上部の係止斜面が対応する側のガラス板に於ける下支分ガラス板の辺部の面取部にしっかりと係止し、同時に、各ガラス係止片の下部の横向き鍔片がそれぞれ前記支持フレームの係止溝の底横溝に進入してこれにしっかりと係止固定することとなる。即ち、単に、一対のガラス係止片の間に挿入固定片を挿入するという作業のみで、ガラス係止片によるガラス板の固定とそれ自体の支持フレームへの固定が可能となるため、作業の効率が向上し、かつ安全性も確保されることになる。
【００４７】
本発明の６は、本発明の１、２、３、４又は５のガラス床用の支持構造に於いて、前記支持フレーム及び前記受台をアルミニウム合金で構成したものである。
【００４８】
前記支持フレームは、必要な剛性と硬度とを有するものであれば、種々の材質のそれを自由に採用することができる。例えば、条件を満足すればプラスチック類や木質材も使用可能である。もっとも、該支持フレームは、前記のように、アルミニウム合金で構成するのが、意匠性に優れ、軽量で加工性も良好であり、かつ前記のいずれの観点からも適当である。
【００４９】
従って本発明の６のガラス床用の支持構造によれば、ガラス床用の支持構造を軽量かつ堅固でありつつ、意匠性に優れたものに構成することが可能となる。
【００５０】
本発明の７は、本発明の１、２、３、４、５又は６のガラス床用の支持構造に於いて、前記挿入固定片を硬質弾性部材で構成したものである。
【００５１】
前記硬質弾性部材としては、硬質プラスチック材料や硬質ゴム材等を適宜採用することができる。
【００５２】
従って本発明の７のガラス床用の支持構造によれば、目地中に背中合わせに挿入した一対のガラス係止片の間に前記挿入固定片を弾力的に挿入して、ガラス係止片によるガラス板の固定とそれ自体の支持フレームへの固定を確実に行うことができることになる。
【００５３】
【発明の実施の形態】
以下、発明の実施の形態を実施例に基づき、かつ添付図を参照しつつ詳細に説明する。
【００５４】
＜実施例１＞
図１〜図４に示すように、この実施例１は、本発明のガラス床用の支持構造を適用したガラス床に関するものであり、床面を構成する複数のガラス板１、１…と、台座２及び受台３を備えた複数の支柱部材４、４…と、該支柱部材４の受台３で支持される支持フレーム５であって、床面を構成するガラス板１、１…を載置する複数の支持フレーム５、５…と、該ガラス板１を支持フレーム５に固定する手段の一つである複数対のガラス係止片６、６…と、該各一対のガラス係止片６、６のガラス板１に対する固定作用の補助及び該ガラス係止片６、６自体の支持フレーム５への固定を補助する挿入固定片７と、床面を構成するガラス板１、１…の目地中の上支分ガラス板１ａ、１ａ間及びガラス係止片６、６の上部間に挿入する目地材８とで構成したものである。
【００５５】
前記ガラス板１として、この実施例では、長方形のそれを採用した。その短辺と長辺の比は１：２である。また該ガラス板１は合わせガラスに構成したものであり、図１、図３及び図６に示すように、二枚の支分ガラス板を接着性を備えた中間膜９によって貼り合わせたものである。ガラス板１となる合わせガラスの厚さは、ガラス床面上に載せる物の重量を考慮して決定したものである。合わせガラスを構成する二枚の支分ガラス板のうち、上側に位置するものを上支分ガラス板１ａと、下側に位置するものを下支分ガラス板１ｂと称する。
【００５６】
なおガラス板１として、以上のような合わせガラスを採用したのは、仮にガラス板１に部分的かつ瞬間的に大きな負荷が掛かる等により、その一部に破損が生じたような場合にも、上支分ガラス板１ａと下支分ガラス１ｂとが中間膜９によって接着結合しているため、多くの場合は、それらの破片等が飛び散ったり、床が抜けたりすることを防止することができる。損傷が下支分ガラス板１ｂまで届かない場合も多く、この場合は、下支分ガラス板１ｂによりバックアップされ、修繕するまでこれによって床を維持することができる。
【００５７】
前記下支分ガラス板１ｂの上辺部には、図１、図３及び図６に示すように、ガラス係止片６の係止斜面６ｂで係止するために、ほぼ４５度の角度で面取り加工を施してなる面取部１ｂ１が形成してある。また該下支分ガラス板１ｂの辺部には、該面取部１ｂ１も含めて樹脂系の保護皮膜１０が被覆してある。該保護皮膜１０のこの部位への固定は接着剤による。
【００５８】
前記支柱部材４は、図１に示すように、その本体をなすボルト部材４ａと、これをその中心に立設した台座２と、該ボルト部材４ａの最上部に螺合した受台３と、該受台３の直下で該ボルト部材４ａに螺合したロックナット１１とで構成したものであり、該受台３の正逆回転による昇降調節状態がロックナット１１によって固定できるようになっている。
【００５９】
前記台座２は、図１及び図２に示すように、平面から見て正方形の金属板材で構成したものであり、その四隅に固定ボルト挿通用の開口部が形成してある。前記ボルト部材４ａは、該台座２の中心の雌ねじに螺合し、その裏面側から溶接することで固定してある。
【００６０】
前記受台３は、図１及び図８に示すように、中央の約下半分の部位に前記ボルト部材４ａと螺合する雌ねじ部３ａを備え、かつ外径が上段の大径部と下段の小径部とからなる二段円柱部材であり、その上部の大径部には、平面から見て十字形の溝である十字溝３ｂを形成した合成樹脂製の部材である。この十字溝３ｂは、格子状に配される前記支持フレーム５、５…をその交点の部位で嵌合して支持するための構成要素である。
【００６１】
また該受台３の大径部の上面、即ち、前記十字溝３ｂの周囲に高く残った四カ所には、図８（ａ）、（ｂ）に示すように、それぞれボルト穴３ｃを開口する。このボルト穴３ｃは、後述するように、該十字溝３ｂに嵌合した支持フレーム５の側部溝５ｂにその係止端を挿入しつつ該大径部の上面に配置した固定片３ｄを該上面上に固定すべくその上からボルト３ｅをねじ込むためのものである。
【００６２】
前記支持フレーム５は、図１、図２、図３及び図５に示すように、断面長方形を基本とするアルミニウム合金製の角形パイプ状長尺部材で、その上部中央に長さ方向に沿って係止溝５ａを、その両側に長さ方向に沿って各々嵌合溝５ｃを、両側面に長さ方向に沿って各々側部溝５ｂを、更に下部に同様にその長さ方向に沿って連結溝５ｄを、それぞれ形成した部材である。
【００６３】
該支持フレーム５は、その上面両側で、目地間隔をあけて床用に敷設されるガラス板１、１の該当する辺部を載置し、また該係止溝５ａに係止するガラス係止片６、６及びその間に挿入する挿入固定片７を介して該ガラス板１、１をその部位に固定するものである。なお該ガラス板１、１の辺部は緩衝材１２を介して該支持フレーム５の該当部位に載置する。
【００６４】
前記係止溝５ａは、図１、図２、図３及び図５に示すように、垂直に形成された主溝部５ａ１とその底部から両側に延長した底横溝５ａ２、５ａ２とで構成したものであり、前記ガラス係止片６、６の後述する横向き鍔片６ｃがそれぞれ該底横溝５ａ２、５ａ２に進入してここに固定されることになるものである。
【００６５】
前記嵌合溝５ｃは、前記緩衝材１２を支持フレーム５の上面のそれぞれ該当する片側に固定するための構成要素であり、図１、図３及び図５に示すように、断面円形の溝で開口幅が内部より若干狭くなっている。該緩衝材１２は、弾性合成樹脂の帯状部材であり、その下面中央に対応する嵌合突条１２ａが形成してある。この嵌合突条１２ａを該嵌合溝５ｃに嵌合させることにより、該緩衝材１２を支持フレーム５の上面両側にそれぞれ固定するものである。
【００６６】
前記側部溝５ｂは、図１及び図３に示すように、これを備えた支持フレーム５を、前記受台３の十字溝３ｂに嵌合させた状態で、その開口部の下端側が該受台３の上面と一致する高さの位置に位置させて構成する。前記し、図１、図２及び図３に示すように、支持フレーム５を前記受台３の十字溝３ｂに嵌合させた状態で、該受台３の大径部の上面にそれぞれ前記固定片３ｄを配し、その係止端を両側の支持フレーム５、５の側部溝５ｂに挿入し、そうした上で、該固定片３ｄをこれを通じてボルト穴３ｃに進入螺合したボルト３ｅで該受台３の上面に固定する。これによって受台３の十字溝３ｂに嵌合した支持フレーム５の無用の浮上を防止する趣旨である。なおこの固定片３ｄは、以上のように、受台３の上面の四カ所の全てに配するのが確実ではあるが、通常は、対角線の２カ所に配するのみでも十分にその効果を得ることができる。
【００６７】
なお前記固定片３ｄは、図９（ａ）、（ｂ）に示すように、平面から見て、前記受台３の４カ所に残った上面部とほぼ同一形状寸法の部分及びこれから前記支持フレームの側部溝５ｂに進入係止する分だけ延長した形状寸法の金属板状部材である。該受台３の該当する上面部に載置した状態で一致する位置にボルト穴が開口してある。
【００６８】
前記連結溝５ｄは、これをその下部に構成した支持フレーム５を前記受台３の十字溝３ｂに嵌合する場合には無用のものであり、実施例２の補助支柱部材２４に取り付ける場合に使用する。詳細は次の実施例２の説明中で述べる。なお支持フレーム５の下部に該連結溝５ｄが構成されていても、該支持フレーム５を受台３の十字溝３ｂに嵌合する場合に特に問題が生じるようなことはない。
【００６９】
前記ガラス係止片６は、図１、図３、図６及び図７（ａ）、（ｂ）、（ｃ）に示すように、直立状態の板状部６ａの上部に、前記ガラス板１の下支分ガラス板１ｂの辺部に形成した面取部１ｂ１に当接係止すべく傾斜させた係止斜面６ｂを備え、かつ下端に側方に向けて鍔状に延長した横向き鍔片６ｃを備えたアルミニウム合金製の長尺部材である。該直立状態の板状部６ａには、その背中側、即ち、前記ガラス板１の辺部に面する側と反対側の面に横向き複数条の突条を形成した固定突条部６ｄを形成したものである。
【００７０】
前記挿入固定片７は、図１、図３、図６及び図７（ｃ）に示すように、若干弾力性を持った硬質プラスチック製の長尺板状部材であり、その下部は下方に向かって楔状に細まるように形成したものである。この挿入固定片７の厚みは、特に図７（ｃ）に示すように、支持フレーム５の係止溝５ａに下端部を挿入した一対のガラス係止片６、６の間に、これを挿入した場合に、該一対のガラス係止片６、６間を最大限度に拡開させ、その各下端の横向き鍔片６ｃを該係止溝５ａに確実に係止させることになる寸法とする。また該挿入固定片７は、その両側の面がこの状態で、図１、図３及び図７（ｃ）に示すように、両側のガラス係止片６、６の各固定突条部６ｄでしっかりと固定され、容易に抜けない状態になる。
【００７１】
前記目地材８は、図１、図３、図６及び図７（ｃ）に示すように、弾力性を持った合成ゴム製の長尺板状部材であり、その両側面には、複数の弾性鍔状突片８ａ、８ａ…が多重状態に張り出し構成してある。該目地材８は、床用に配設されるガラス板１、１の目地に挿入すると、先に挿入してある前記挿入固定片７の上端に届く高さ方向の寸法を有しており、かつその上部は、端面方向から見て該ガラス板１、１の辺部（縁）から大曲率で僅かに膨らむ円弧状となる形状を持つものとなっている。
【００７２】
従ってこの実施例１のガラス床は概ね次の手順で施工し、これを構成することができる。
【００７３】
ガラス板１、１…は、これを縦横に配置して床を構成するものであるが、その構成領域にどのような位置関係で配置すべきかをまず初めに決定し、図４に示すように、その格子状の目地予定ラインの交点に当たる位置及び各ガラス板１の長辺に沿った目地予定ラインの中間点に当たる位置にそれぞれ支柱部材４を配置する。なお各支柱部材４は、図１に示すように、その下端に台座２を備え、該台座２から立ち上げたボルト部材４ａの途中にロックナット１１を螺合し、その上部に受台３を螺合したものであり、予め、そのようにセットしてあるものを、上記し、かつ図４に示すように、配置する。台座２は床下地上にコンクリート用の固定ボルトにより固定する。
【００７４】
次いで、以上のように配置された各支柱部材４のボルト部材４ａに螺合してある受台３を回転させてその高さを所定の高さになるように調節し、その下方のロックナット１１を該受台３側に締め付けて圧接し、該受台３のその高さを固定する。なお該受台３のこれを回転させることによる高さ調節は、その十字溝３ｂで支持する支持フレーム５、５の向きが決まっている関係上、３６０度の内、９０度毎の４カ所以外では固定できないこととなるが、支柱部材４の螺旋のピッチは十分小さいので施工上問題になることはない。
【００７５】
こうして全ての支柱部材４、４…の各受台３の高さを調節し、これをロックした後、図４に示すように、前記目地予定ライン、及び敷設予定の各ガラス板１の長辺に沿った目地予定ラインの中間点間を結ぶラインに沿って、それぞれ支持フレーム５を配し、それらの各交点を各支柱部材４のボルト部材４ａに螺合固定してある受台３で支持する。
【００７６】
該受台３による支持は、その上部の十字溝３ｂによって行う。支持フレーム５の各交点では、特に図２に示すように、原則として、該十字溝３ｂの縦方向及び横方向の溝部の内、一方の溝部（図２中では縦方向の溝部）には、一本の支持フレーム５を通過状態に嵌合保持し、他方の溝部（図２中では横方向の溝部）には、該一方の溝部に嵌合した支持フレーム５に端部が突き合わせ状態になるように、交差方向の二本の支持フレーム５、５を嵌合保持することとなる。
【００７７】
受台３による支持フレーム５の支持は、ガラス床の構成領域の角部及び四辺の途中では、図４に示すように、若干異なる。角部では、受台３の十字溝３ｂの縦横の溝部には、各々９０度の角度で該当する方向から中央まで支持フレーム５、５の端部がＬ字状に進入して嵌合保持され、四辺の途中では、受台３の十字溝３ｂの縦横の溝部の内、辺に沿った一方の溝部には支持フレーム５が通過状態に嵌合保持され、これに直交する溝部には、該辺の支持フレーム５の側部に端部が突き合わせ状態になるように、ガラス板１の敷設領域側から延びた支持フレーム５が嵌合保持されることになる。
【００７８】
なお図４中、斜線で示した部分は、一枚のガラス板１を示している。
【００７９】
以上の各支持フレーム５は、前記したように、受台３の十字溝３ｂに対する嵌合状態が前記固定片３ｄによって固定される。図１、図２及び図３に示すように、該固定片３ｄを、受台３の大径部の４カ所の上面に各々配すると共に、各々その係止端を両側の支持フレーム５、５の側部溝５ｂに挿入した上で、該固定片３ｄを該位置に固定する。この固定は、そのボルト穴からボルト３ｅを受台３のボルト穴３ｃに進入螺合させて行う。こうして受台３の十字溝３ｂに嵌合した支持フレーム５はその位置に確実に固定される。なお、前記したように、前記固定片３は、受台３の大径部の４カ所の内、相互に対角線の位置に位置する上面上にのみ配して固定することとしても、概ね満足な支持フレーム５の固定効果を得ることができる。
【００８０】
この後、前記支持フレーム５、５…の係止溝５ａの両側に緩衝材１２を配置した上で、ガラス板１、１…を配置する。該緩衝材１２は、前記したように、その下面中央の嵌合突条１２ａを上記該当部位に形成してある嵌合溝５ｃに嵌合させることにより上記部位にそれぞれ固定することができる。
【００８１】
該各ガラス板１は、図１、図３及び図６に示すように、その四辺の辺部をそれぞれ該当する目地予定位置に位置する支持フレーム５の上面に載置する。支持フレーム５へのこの載置は、先に述べたように、係止溝５ａの一方の側に緩衝材１２を介して行われるものである。またガラス板１は、その長さ方向に直交する向きで、その中間に位置する支持フレーム５には、その係止溝５ａの両側の面上に緩衝材１２を介して載置された状態になる。
【００８２】
こうして、ガラス板１、１…の全敷設領域への敷設が完了した後、図６に示すように、それらのガラス板１、１…の上部から目地中に一対のガラス係止片６、６を挿入する。ガラス係止片６、６は、同図及び図７（ａ）、（ｂ）に示すように、背中合わせの状態で目地中に挿入し、それらの下部の各横向き鍔片６ｃは、更にその下方の支持フレーム５の係止溝５ａ中にまで進入させる。
【００８３】
この後、図６及び図７（ｃ）に示すように、以上のように配した各対のガラス係止片６、６の間に、挿入固定片７を挿入する。これを強く押し込むと、図１、図３及び図７（ｃ）に示すように、その両側のガラス係止片６、６の間隔が拡開し、それらの上部の各係止斜面６ｂが、それぞれ対応する側の下支分ガラス板１ｂの面取部１ｂ１に保護皮膜１０を介して当接係止し、ガラス板１、１をその位置に固定することとなる。またガラス係止片６、６それ自体も、その下部の横向き鍔片６ｃがそれぞれ前記係止溝５ａの底横溝５ａ２に係止して抜け止めされた状態となる。更に挿入固定片７の挿入状態は、その両面が対応するガラス係止片６の固定突条部６ｄでしっかりと固定され、容易に抜けない状態となる。
【００８４】
更にこの後、図１及び図３に示すように、残存している各上支分ガラス板１ａ、１ａ間の目地及びその直下のガラス係止片６、６の上部間の空間に目地材８を充填する。前記目地材８は、残存空間に弾力的に挿入され、両側の上支分ガラス板１ａ、１ａ間にしっかりと固定され、無用に抜けるようなことのないものとなる。
【００８５】
なおガラス床の構成領域の四辺に於いては現場の状況に応じて適当な手段でガラス板１の該当部位を固定し、或いは生じた空間を閉じる等適宜の処理を行う。
【００８６】
従ってこの実施例のガラス床は、重量物を取り扱う作業をなくして安全かつスピーディにこれを構成することができる。意匠的にも優れたガラス床を提供することができる。また前記目地材８と前記挿入固定片７と前記ガラス係止片６とは、施工後も取り外しが可能であるので、施工後のメンテナンスを容易に行なうこともできる。またこのガラス床は、これに加わる荷重が、ガラス板１及び支持フレーム５を介して合成樹脂製の受台３に加わることになっているが、該受台３はその直下でボルト部材４ａに螺合しているロックナット１１によってバックアップされており、大きな荷重が加わることがあっても、その荷重を確実に受けることが可能になっているものでもある。
【００８７】
＜実施例２＞
実施例２は、実施例１の変形例であり、実施例１に於いて、ガラス板１、１…の長さ方向中間部にこれに直交する向きに配した支持フレーム５を省略し、ガラス板１の長辺に沿った支持フレーム５の中間点の支持を補助支柱部材２４で行うようにしたものであり、以上の点のみが実施例１と異なる。従ってこの実施例２については、以上の異なる点についてのみ説明する。
【００８８】
まず前記補助支柱部材２４から説明する。これは、図１１に示すように、床下地上に固設する小台座２２と、該小台座２２に立設した長ナット部材２４ａと、該長ナット部材２４ａに高さ調節自在に螺合した受けボルト部材２４ｂとで構成したものである。
【００８９】
図１１に示すように、前記小台座２２は、平面から見て正方形の金属板材で構成し、その四隅に固定ボルト挿通用の開口部を形成したものである。実施例１の台座２と同様の構成であるが、若干小寸法となっている。
【００９０】
前記長ナット部材２４ａ及びこれに螺合する前記受けボルト部材２４ｂは補助支柱部材２４の本体部分を構成すると共に、該受けボルト部材２４ｂを正逆回転させることで高さ調節機能を実現するものである。なお該長ナット部材２４ａは、その下部外周の雄ねじを小台座２２の中心に形成した雌ねじ部にねじ込むとともに裏面側から溶接して直立状態に固設してある。
【００９１】
前記受けボルト部材２４ｂは、図１１に示すように、その上端に連結頭部２４ｂ１を備えており、これが前記支持フレーム５の連結溝５ｄにスライド自在に嵌合するようになっている。
【００９２】
前記連結溝５ｄは、図１１及び図５に示すように、支持フレームの最下部に形成した溝であり、長さ方向に沿って構成され、下方に開口している。溝下端では両側から鍔部が若干突出しており、その開口部は溝幅より狭く、前記受けボルト部材２４ｂのボルト部の径を僅かに越える寸法となっている。内部の溝幅は該受けボルト部材２４ｂの連結頭部２４ｂ１の幅を僅かに越え、かつ内部の溝高さは該連結頭部２４ｂ１の高さ寸法を僅かに越えるそれとなっている。この連結溝５ｄは、該支持フレーム５の端部で長さ方向にも開口しているものである。
【００９３】
前記受けボルト部材２４ｂは、それ故、その連結頭部２４ｂ１を支持フレーム５の端部で該連結溝５ｄに挿入し、必要な位置までスライド移動させることができる。
【００９４】
この実施例２では、前記し、かつ図１０に示すように、ガラス板１、１…の長さ方向中間部にこれに直交する向きに配した支持フレーム５を省略し、ガラス板１の長辺に沿った支持フレーム５の中間点の支持を以上の補助支柱部材２４で行うようにしたものである。
【００９５】
以上のガラス板１の長辺に沿った位置に配される支持フレーム５には、予め前記連結頭部２４ｂ１を、前記のように、その端部から前記連結溝５ｄに挿入し、所定の位置、即ち、ガラス板１の長辺の中間位置に対応する位置までスライド移動させておく。この状態で、該支持フレーム５は、ガラス板１の長辺に沿った位置に配置する。このとき、該連結頭部２４ｂ１を必要に応じて再スライドさせて位置決めの微調整を行い、更に前記長ナット部材２４ａを正逆回転させて前記受けボルト部材２４ｂとの螺合状態を調節することにより、前記支持フレーム５の支持位置の高さの調節を行う。これは９０度毎の回転角で行い、決定した状態で、前記小台座２２を床下地にボルトにより固定する。
【００９６】
従ってこの実施例２のガラス床用の支持構造によれば、ガラス板１の長辺に沿った位置に位置する支持フレーム５は、図１１に示すように、これより幅の狭い受けボルト部材２４ｂ及び長ナット部材２４ａで支持されるものであるため、ガラス板１側からは見え難く、意匠的に優れたものとなる。またガラス板１の長辺の中間点での支持を加えることにより、ガラス板１のたわみを防止することができることにもなる。
【００９７】
【発明の効果】
本発明の１のガラス床用の支持構造によれば、ガラス板の不陸の調節が容易であり、かつ確実にガラス板を支持できるガラス床を施工性良好に構成することが可能となる。また構成されるガラス床がスマートであり、更には施工後のメンテナンスも容易となる。
【００９８】
本発明の２のガラス床用の支持構造によれば、簡単で作業性良好にガラス板の敷設作業ができ、確実に支持することができると共に、外観的にもスマートなデザインとなる。
【００９９】
本発明の３のガラス床用の支持構造によれば、ガラス床上からはその支持構造が見え難く意匠的に優れたものとなる。またガラス板の長辺の中間点での支持を加えることにより、ガラス板のたわみを防止することができることにもなる。
【０１００】
本発明の４のガラス床用の支持構造によれば、下支分ガラス板の辺部を損傷を生じさせることなく確実にこれを係止することができる。
【０１０１】
本発明の５のガラス床用の支持構造によれば、ガラス板を確実に支持することができる。
【０１０２】
本発明の６のガラス床用の支持構造によれば、ガラス床用の支持構造を軽量かつ堅固に構成することが可能となる。
【０１０３】
本発明の７ガラス床用の支持構造によれば、目地中に背中合わせに挿入した一対のガラス係止片の間に前記挿入固定片を弾力的に挿入することによりガラス係止片によるガラス板の固定とそれ自体の支持フレームへの固定を確実に行うことができる。
【図面の簡単な説明】
【図１】床用のガラス板を支持する支持構造の主要部を示す断面図。
【図２】一本の支柱部材の受台とこれに固定された支持フレームとを示す平面図。
【図３】図１の上部のみを示す拡大断面図。
【図４】ガラス床施工時の支柱部材及び支持フレームの配置図。
【図５】短尺に切断した支持フレームの斜視図。
【図６】支持フレーム上にガラス板を固定するガラス係止片、挿入固定片及び目地材の取り付けの様子を示す拡大断面図。
【図７】（ａ）は一対のガラス係止片の下部を支持フレームの係止溝に挿入する前の状態を示す断面斜視図。  （ｂ）は一対のガラス係止片の下部を支持フレームの係止溝に挿入した状態を示す断面斜視図。  （ｃ）は下部を支持フレームの係止溝に挿入した一対のガラス係止片の間に挿入固定片を挿入し、かつその上の目地に目地材を挿入しようとしている状態を示す断面斜視図。
【図８】（ａ）は支柱部材の受台の正面図。  （ｂ）は支柱部材の受台の平面図。
【図９】（ａ）は固定片の平面図。  （ｂ）は固定片の正面図。
【図１０】他の実施例のガラス床施工時の支柱部材、補助支柱部材及び支持フレームの配置図。
【図１１】床用のガラス板を支持する支持フレームを補助支柱部材で支持する状態を示した断面図。
【符号の説明】
１    ガラス板
１ａ  上支分ガラス板
１ｂ  下支分ガラス板
１ｂ１  面取部
２    台座
３    受台
３ａ  雌ねじ部
３ｂ  十字溝
３ｃ  ボルト穴
３ｄ  固定片
３ｅ  ボルト
４    支柱部材
４ａ  ボルト部材
５    支持フレーム
５ａ  係止溝
５ａ１  主溝部
５ａ２  底横溝
５ｂ  側部溝
５ｃ  嵌合溝
５ｄ  連結溝
６    ガラス係止片
６ａ  板状部
６ｂ  係止斜面
６ｃ  横向き鍔片
６ｄ  固定突条部
７    挿入固定片
８    目地材
８ａ  弾性鍔状突片
９    中間膜
１０  保護皮膜
１１  ロックナット
１２  緩衝材
１２ａ  嵌合突条
２２  小台座
２４  補助支柱部材
２４ａ  長ナット部材
２４ｂ  受けボルト部材
２４ｂ１  連結頭部
【図１】
2004316355.tif 000003
【図２】
2004316355.tif 000004
【図３】
2004316355.tif 000005
【図４】
2004316355.tif 000006
【図５】
2004316355.tif 000007
【図６】
2004316355.tif 000008
【図７】
2004316355.tif 000009
【図８】
2004316355.tif 000010
【図９】
2004316355.tif 000011
【図１０】
2004316355.tif 000012
【図１１】
2004316355.tif 000013